(57)【要約】【課題】撮像した画像のピント状態を明確に確認できる画像表示制御装置を提供する。【解決手段】画像表示手段による撮像画像の表示を制御する画像表示制御装置であって、画像表示手段にて表示される画像を、入力操作に応じた表示画像に対する拡大率で拡大して画像表示手段にて表示させる拡大手段（Ｓ１２７，Ｓ１２９）と、画像確認モードを切り換えるモード切換手段（Ｓ１２６）と、拡大手段による拡大率に応じて画像表示手段での画像表示を制御する制御手段（Ｓ１１５，Ｓ１１６）とを有し、拡大手段は、拡大率の設定範囲をモード切換手段による画像確認モードに応じて変更する。【選択図】図３
2008070645.tif 000002
【特許請求の範囲】
【請求項１】
画像表示手段による撮像画像の表示を制御する画像表示制御装置であって、
前記画像表示手段にて表示される画像を、入力操作に応じた表示画像に対する拡大率で拡大して前記画像表示手段にて表示させる拡大手段と、
画像確認モードを切り換えるモード切換手段と、
前記拡大手段による拡大率に応じて前記画像表示手段での画像表示を制御する制御手段とを有し、
前記拡大手段は、拡大率の設定範囲を前記モード切換手段による画像確認モードに応じて変更することを特徴とする画像表示制御装置。
【請求項２】
前記画像確認モードにはピント確認モードを有し、ピント確認モードとそうでないモードとで前記拡大率の設定範囲を変更することを特徴とする請求項１に記載の画像表示制御装置。
【請求項３】
前記モード切換手段による画像確認モードに応じて、拡大率の変化量を変更することを特徴とする請求項１に記載の画像表示制御装置。
【請求項４】
前記モード切換手段による画像確認モードに応じて、拡大率の範囲を最大撮像画素数が前記画像表示手段の画素数と等倍表示される倍率から最小撮像画素数が前記画像表示手段の画素数と等倍表示される倍率までとすることを特徴とする請求項１記載の画像表示制御装置。
【請求項５】
前記制御手段は、拡大した画像と、拡大していない画像とを表示させることを特徴とする請求項１に記載の画像表示制御装置。
【請求項６】
出力先に応じて、前記拡大手段で拡大率の設定範囲を変更することを特徴とする請求項１に記載の画像表示制御装置。
【請求項７】
出力先に応じて、前記拡大手段で拡大率の変化量を変更することを特徴とする請求項１に記載の画像表示制御装置。
【請求項８】
請求項１ないし請求項７のいずれかに記載の画像表示制御装置と、被写体像を撮像する撮像手段とを有し、前記画像表示制御装置は前記撮像手段により撮像された被写体像の表示を制御することを特徴とする撮像装置。
【発明の詳細な説明】
【技術分野】
【０００１】
本発明は、撮像した画像を拡大表示可能な画像表示制御装置および撮像装置に関するものである。
【背景技術】
【０００２】
従来から撮像装置により撮像した画像のフォーカス状態を確認するための画像表示技術が開示されている。例えば、特許文献１では、共通の画像について、拡大率の異なる画像を、分割された表示画面へ同時表示を可能にするものである。これは、４分割された表示画面に、１駒を構成する基準画像が第１の領域Ａ１に表示され、基準画像の中の複数の拡大領域を、第２の領域Ａ２、第３の領域Ａ３および第４の領域Ａ４それぞれに１駒の画像として表示できるようにしたものである。特許文献２、特許文献３にも同様の開示がある。
【特許文献１】特開２００３−３４５３４０号公報
【特許文献２】特開２００３−１７９７９８号公報
【特許文献３】特開２００４−１５８９０６号公報
【発明の開示】
【発明が解決しようとする課題】
【０００３】
しかしながら、フォーカス状態の確認のために専用の画面を設けて拡大表示する場合、通常の拡大表示に用いる拡大率のままでは補間画像を表示してしまい、ピント確認という目的には使いづらい結果となってしまっていた。
【０００４】
（発明の目的）
本発明の目的は、撮像した画像のピント状態を明確に確認することのできる画像表示制御装置および撮像装置を提供しようとするものである。
【課題を解決するための手段】
【０００５】
上記目的を達成するために、本発明は、画像表示手段による撮像画像の表示を制御する画像表示制御装置であって、前記画像表示手段にて表示される画像を、入力操作に応じた表示画像に対する拡大率で拡大して前記画像表示手段にて表示させる拡大手段と、画像確認モードを切り換えるモード切換手段と、前記拡大手段による拡大率に応じて前記画像表示手段での画像表示を制御する制御手段とを有し、前記拡大手段が、拡大率の設定範囲を前記モード切換手段による画像確認モードに応じて変更する画像表示制御装置とするものである。
【０００６】
同じく上記目的を達成するために、本発明は、本発明の上記画像表示制御装置と、被写体像を撮像する撮像手段とを有し、前記画像表示制御装置が前記撮像手段により撮像された被写体像の表示を制御する撮像装置とするものである。
【発明の効果】
【０００７】
本発明によれば、撮像した画像のピント状態を明確に確認することができる画像表示制御装置または撮像装置を提供できるものである。
【発明を実施するための最良の形態】
【０００８】
本発明を実施するための最良の形態は、以下の実施例に示す通りである。
【実施例】
【０００９】
図１は本発明の一実施例に係る撮像装置のシステム構成を示す図である。図１において、１０は撮影レンズであり、固定レンズ１１、変倍レンズ１２Ａ、補正レンズ１２Ｂ及びフォーカスレンズ１３により構成される４群型インナーフォーカス式ズームレンズである。変倍レンズ１２Ａと補正レンズ１２Ｂは不図示のカム機構により、両者の位置関係が規制されながら光軸に沿って移動し、焦点距離を変更可能になっている。以下、これら変倍レンズ１２Ａと補正レンズ１２Ｂを併せてズームレンズ１２と呼ぶ。
【００１０】
１４は絞り機構とシャッタ機構を有するシャッタユニット、１５は光学像を電気信号に変換するＣＣＤ等の撮像素子、１６は撮像素子１５のアナログ信号をディジタル信号に変換するＡ／Ｄ変換器である。１８はタイミング発生回路であり、撮像素子１５、Ａ／Ｄ変換器１６、Ｄ／Ａ変換器２６にクロック信号や制御信号を供給するものであり、後述のメモリ制御回路２２及びシステム制御回路５０により制御される。
【００１１】
２０は画像処理回路であり、Ａ／Ｄ変換器１６からのデータ或いは後述のメモリ制御回路２２からのデータに対して所定の画素補間処理や色変換処理を行う。また、画像処理回路２０では、撮像した画像データを用いて所定の演算処理を行う。得られた演算結果に基づいて後述のシステム制御回路５０が、後述の露出制御部４０及びフォーカス制御部４２に対して制御を行う。こうしたＴＴＬ（スルー・ザ・レンズ）方式のＡＦ（オートフォーカス）処理、ＡＥ（自動露出）処理、ＥＦ（フラッシュプリ発光）処理を行っている。フォーカス制御部４２にて使用されるＡＦ評価値は、例えば、次のようなデータである。すなわち、画像処理回路２０において、Ａ／Ｄ変換器１６から入力される画像信号の高周波成分を抽出すると共に、その絶対値を取り、その絶対値データを所定領域内にて積算したデータである。また、画像処理回路２０では、撮像した画像データを用いて所定の演算処理を行い、得られた演算結果に基づいてＴＴＬ方式のＡＷＢ（オートホワイトバランス）処理も行っている。
【００１２】
２２はメモリ制御回路であり、Ａ／Ｄ変換器１６、タイミング発生回路１８、画像処理回路２０や、後述の画像表示メモリ２４、Ｄ／Ａ変換器２６、メモリ３０及び圧縮・伸長回路３２を制御する。Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００１３】
２４は画像表示メモリ、２６はＤ／Ａ変換器である。２８はＴＦＴ  ＬＣＤ等から成る画像表示部であり、画像表示メモリ２４に書き込まれた表示用の画像データがＤ／Ａ変換器２６を介して画像表示部２８により表示される。画像表示部２８を用いて撮像した画像データを逐次表示すれば、電子ファインダ機能を実現することが可能である。また、画像処理回路２０で作成されたヒストグラムを表示することも可能である。画像表示部２８は、システム制御回路５０の指示により任意に表示をＯＮ（オン）にしたり、ＯＦＦ（オフ）にしたりすることが可能である。表示をＯＦＦにした場合には撮像装置１００の電力消費を大幅に低減することができる。
【００１４】
３０は撮影した静止画像や動画像を格納するためのメモリであり、所定枚数の静止画像や所定時間の動画像を格納するのに十分な記憶量を備えている。また、メモリ３０はシステム制御回路５０の作業領域としても使用することが可能である。３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００１５】
４０は絞り機構とシャッタ機構を有するシャッタユニット１４を制御する露出制御部であり、後述のフラッシュ４０４と連携することによりフラッシュ調光機能も有するものである。４２はフォーカスレンズ１３を制御するフォーカス制御部である。上記露出制御部４０及びフォーカス制御部４２はＴＴＬ方式を用いて制御されており、撮像した画像データを、画像処理回路２０によって演算した演算結果に基づき、システム制御回路５０が制御している。４４はズームレンズ１２を制御するズーム制御部である。４８はコネクタであり、アクセサリシューとも呼ばれ、フラッシュ装置４００との電気接点や機械的な固定手段も合わせて備えている。
【００１６】
５０は撮像装置１００全体を制御するシステム制御回路、５２はシステム制御回路５０の動作用の定数、変数、プログラム等を記憶するメモリである。５４は表示部であり、システム制御回路５０でのプログラムの実行に応じて、文字、画像、音声等を用いて動作状態やメッセージ等を液表示する液晶表示装置、スピーカー等である。そして、撮像装置１００の操作部近辺の視認し易い位置に単数或いは複数個所設置され、例えばＬＣＤやＬＥＤ、発音素子等の組み合わせにより構成されている。
【００１７】
また、上記の表示部５４は、その一部の機能が光学ファインダ１０４内に設置されている。この表示部５４の表示内容のうち、ＬＣＤ等に表示するものとしては、単写／連写撮影表示、セルフタイマ表示、圧縮率表示を含む。さらには、画像サイズ表示、記録枚数表示、残撮影可能枚数表示、シャッタスピード表示も含む。また同様に、絞り値表示、露出補正表示、フラッシュ表示、赤目緩和表示、マクロ撮影表示も含む。さらには、ブザー設定表示、時計用電池残量表示、電池残量表示、エラー表示、複数桁の数字による情報表示、記録媒体２００の着脱状態表示、通信Ｉ／Ｆ動作表示、日付・時刻表示等も含む。また、表示部５４の表示内容のうち、光学ファインダ１０４内に表示するものとしては、合焦表示、手振れ警告表示、フラッシュ充電表示、シャッタスピード表示、絞り値表示、露出補正表示等を含む。
【００１８】
５６は電気的に消去・記録可能な不揮発性メモリであり、例えばＥＥＰＲＯＭ等が用いられる。この不揮発メモリ５６には、ユーザーが設定した情報などが格納されている。６０，６２，６４，６６，７０及び７２は、システム制御回路５０の各種の動作指示を入力するための操作部材であり、スイッチやダイアル、タッチパネル、視線検知によるポインティング、音声認識装置等の単数或いは複数の組み合わせで構成される。
【００１９】
ここで、これらの操作部材の具体的な説明を行う。６０はモードダイアルスイッチであり、電源オフ、自動撮影モード、撮影モード、パノラマ撮影モード、再生モード、マルチ画面再生・消去モード等の各機能モードを切り換え設定することができる。６２（ＳＷ１）はスイッチであり、不図示のシャッタボタンの操作途中でＯＮとなり、ＡＦ処理、ＡＥ処理、ＡＷＢ処理、ＥＦ処理等の動作開始を指示する。６４（ＳＷ２）も同じくスイッチである。このスイッチＳＷ２は、不図示のシャッタボタンの操作完了でＯＮとなり、撮像素子１５から読み出した信号をＡ／Ｄ変換器１６、メモリ制御回路２２を介してメモリ３０に画像データを書き込む露光処理の開始を指示する。さらに、画像処理回路２０やメモリ制御回路２２での演算を用いた現像処理の開始の指示に繋がる。さらに、メモリ３０から画像データを読み出し、圧縮・伸長回路３２で圧縮を行い、記録媒体２００に画像データを書き込む記録処理という一連の処理の動作開始の指示にも繋がる。
【００２０】
６６は画像表示ＯＮ／ＯＦＦスイッチであり、画像表示部２８のＯＮやＯＦＦを設定することができる。この機能により、光学ファインダ１０４を用いて撮影を行う際に、ＴＦＴ  ＬＣＤなどから成る画像表示部２８への電流供給を遮断することにより、省電力を図ることが可能となる。７０はＭＦスイッチであり、ユーザーがフォーカスレンズを操作してフォーカシングを行うマニュアルフォーカスモードに設定することができる。７２はメニュースイッチであり、該スイッチ７２を押すことでメニュー画面に入り、各機能のＯＮや、オフの切り換え、撮影設定のパラメータの選択などを行うことができる。このメニュー画面にて操作性パラメータテーブルの選択も行う事ができる。
【００２１】
７４は各種ボタンやタッチパネル等からなる操作部である。これは、セットボタン、キャンセルボタン、マクロボタン、マルチ画面再生改ページボタン、フラッシュ設定ボタン、単写／連写／セルフタイマ切換ボタンを含む。また、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタンも含む。また、パノラマモード等の撮影及び再生を実行する際に各種機能の選択及び切り換えを設定する選択／切換ボタン、パノラマモード等の撮影及び再生を実行する際に各種機能の決定及び実行を設定する決定／実行ボタンも含む。また、画像表示部２８のオンやオフを設定する画像表示ＯＮ／ＯＦＦスイッチ６６、撮影直後に撮影した画像データを自動再生するクイックレビューＯＮ／ＯＦＦを設定するクイックレビュースイッチも含む。また、画像サイズを設定する画像サイズ選択スイッチも含む。この実施例では、サイズＳ（６４０×４８０画素）とそれより記録する画素数が多いサイズＭ（１６００×１２００画素）、さらに記録する画素数が多いサイズＬ（２５９２×１９４４画素）を有する。また、ＪＰＥＧ圧縮の圧縮率を選択するため或いは撮像素子１５の信号をそのままディジタル化して記録媒体に記録するＲＡＷモードを選択するためのスイッチである圧縮モードスイッチも含む。また、再生モード、マルチ画面再生・消去モード、ＰＣ接続モード等の各機能モードを設定することができる再生モードスイッチも含む。また、撮影モード状態において、撮影した画像をメモリ３０或いは記録媒体２００から読み出して画像表示部２８によって表示する再生動作の開始を指示する再生スイッチも含む。また、撮影した画像の消去を行う画像消去スイッチ等も含む。
【００２２】
８０は電源制御部である。これは、電池検出回路、ＤＣ−ＤＣコンバータ、通電するブロックを切り換えるスイッチ回路等により構成されている。電源制御部８０は、電池の装着の有無、電池の種類、電池残量の検出を行い、検出結果及びシステム制御回路５０の指示に基づいてＤＣ−ＤＣコンバータを制御し、必要な電圧を必要な期間、記録媒体２００を含む各部へ供給する。８２はコネクタ、８４は同じくコネクタである。８６は電源であり、アルカリ電池やリチウム電池等の一次電池やＮｉＣｄ電池やＮｉＭＨ電池、Ｌｉ電池等の二次電池、ＡＣアダプタ等からなる。
【００２３】
９０はメモリカードやハードディスク等の記録媒体２００とのインタフェース、９２はメモリカードやハードディスク等の記録媒体２００と接続を行うコネクタである。９８はコネクタ９２に記録媒体２００が装着されているか否かを検知する記録媒体着脱検知部である。なお、本実施例では、記録媒体を取り付けるインタフェース及びコネクタを一系統として説明している。もちろん、記録媒体を取り付けるインタフェース及びコネクタは、単数或いは複数、いずれの系統数を備える構成としても構わない。また、異なる規格のインタフェース及びコネクタを組み合わせて備える構成としても構わない。
【００２４】
上記インタフェース及びコネクタとしては、ＰＣＭＣＩＡカードやＣＦ（コンパクトフラッシュ（登録商標））カード等の規格に準拠したものを用いて構成して構わない。さらに、インタフェース９０、そしてコネクタ９２をＰＣＭＣＩＡカードやＣＦ（コンパクトフラッシュ（登録商標））カード等の規格に準拠したものを用いて構成した場合、次のことができる。つまり、他のコンピュータやプリンタ等の周辺機器との間で画像データや画像データに付属した管理情報を転送し合うことができる。これは、ＬＡＮカードやモデムカード、ＵＳＢカード、ＩＥＥＥ１３９４カード、Ｐ１２８４カード、ＳＣＳＩカード、ＰＨＳなどの通信カード等の各種通信カードを接続することによる。
【００２５】
１０４は光学ファインダであり、画像表示部２８による電子ファインダ機能を使用すること無しに、この光学ファインダ１０４のみを用いて撮影を行うことができる。また、光学ファインダ１０４内には、表示部５４の一部の機能、例えば、合焦表示、手振れ警告表示、フラッシュ充電表示、シャッタスピード表示、絞り値表示、露出補正表示などが設置されている。
【００２６】
１１０は通信部であり、ＲＳ２３２ＣやＵＳＢ、ＩＥＥＥ１３９４、Ｐ１２８４、ＳＣＳＩ、モデム、ＬＡＮ、無線通信等の各種通信機能を有する。１１２は通信部１１０により撮像装置１００を他の機器と接続するコネクタ或いは無線通信の場合はアンテナである。
【００２７】
２００はメモリカードやハードディスク等の記録媒体である。記録媒体２００は、半導体メモリや磁気ディスク等から構成される記録部２０２、撮像装置１００とのインタフェース２０４、撮像装置１００と接続を行うコネクタ２０６を備えている。
【００２８】
４００はフラッシュ装置である。４０２は撮像装置１００のアクセサリシューと接続するためのコネクタである。４０４はフラッシュ部であり、ＡＦ補助光の投光機能、フラッシュ調光機能も有する。
【００２９】
次に、上記構成の撮像装置１００での動作について、図２ないし図５のフローチャートを用いて説明する。なお、以下に示す制御は、特に示したものを除いて、システム制御回路５０からの指示に基づくものである。
【００３０】
図２において、電池交換等の電源投入がなされると、システム制御回路５０はステップＳ１０１にて、各種のフラグや制御変数等を初期化する。そして、次のステップＳ１０２にて、画像表示部２８の画像表示をＯＦＦ状態に初期設定する。続くステップＳ１０３では、モードダイアル６０の設定位置を判定し、モードダイアル６０が電源ＯＦＦに設定されていたならばステップＳ１０５へ進む。そして、ステップＳ１０５では、各表示部の表示を終了状態に変更する。また、各種のフラグや制御変数等を含む必要なパラメータや設定値、設定モードを不揮発性メモリ５６に記録する。また、電源制御部８０により画像表示部２８を含む撮像装置１００各部の不要な電源を遮断する等の所定の終了処理を行う。この終了処理の後はステップＳ１０３に戻る。
【００３１】
また、上記ステップＳ１０３でモードダイアル６０が撮影モード以外のその他のモードに設定されていることを判定した場合は、システム制御回路５０はステップＳ１０４へ処理を進め、ここで選択されたモードに応じた処理を実行し、処理を終えたならばステップＳ１０３に戻る。
【００３２】
また、上記ステップＳ１０３でモードダイアル６０が撮影モードに設定されていることを判定した場合は、システム制御回路５０はステップＳ１０６へ処理を進め、ここでは電源制御部８０により電池等により構成される電源８６の残容量（電池容量）およびこの電池容量が撮像装置１００の動作に支障を来たすほどの容量であるか否かを判定する。この判定の結果、電池容量に問題があるならばステップＳ１０９へ進み、表示部５４を用いて画像や音声により所定の警告表示を行った後に、ステップＳ１０３に戻る。一方、ステップＳ１０６で電源８６の電池容量に問題がないと判定した場合はステップＳ１０７へ進む。
【００３３】
ステップＳ１０７へ進むと、ここではシステム制御回路５０は記録媒体２００或いは２１０の動作状態が撮像装置１００の動作に問題があるか否かを判定する。特に記録媒体２００に対する画像データの記録再生動作に問題があるか否かを判定し、問題があるならばステップＳ１０９へ進み、上記と同様に表示部５４を用いて画像や音声により所定の警告表示を行う。そして、この警告後にステップＳ１０３に戻る。また、記録媒体２００の動作状態に問題が無いならば、ステップＳ１０７からステップＳ１０８へ進み、画像表示部２８を用いて撮像した画像データを表示し、光学ファインダ１０４をＯＮにして、図３のステップＳ１１０へ進む。
【００３４】
ステップＳ１１０に進むと、システム制御回路５０は撮影開始の指示がなされているか否かの判定を行い、撮影開始の指示がなされていなければこのステップに留まる。その後、撮影開始の指示がなされたことを判定するとステップＳ１１１へ進み、露出制御部４０、フォーカス制御部４２を制御して、フォーカス・露出調整の処理を行う。このフォーカス・露出調整の詳細は、図４を用いて後述する。その後はステップＳ１１２へ進み、撮影処理を行う。この撮影処理の詳細は、図５を用い後述する。
【００３５】
次のステップＳ１１３では、システム制御回路５０は画像表示部２８に撮影処理した画像の表示を行う所謂クイックレビューを行うモードであるか否かの判定を行う。クイックレビューモードのＯＮ／ＯＦＦ設定は、操作部７４にあるクイックレビュースイッチにて切り換え、もしくは、カメラ設定メニューにて切り換えを行う事が可能である。この判定の結果、クイックレビューモードでない場合はステップＳ１１０へ戻る。一方、クイックレビューモードであった場合はステップＳ１１４へ進み、フォーカス確認用クイックレビューモードであるか否かの判定を行う。フォーカス確認用クイックレビューモードＯＮ／ＯＦＦは、操作部７４にあるクイックレビュースイッチにて切り換え、もしくは、クイックレビュー中に操作部７４にある画像表示ＯＮ／ＯＦＦスイッチにて切り換えを行う事が可能である。この判定の結果、フォーカス確認用クイックレビューモードでない場合はステップＳ１１７へ進み、画像表示部２８に画像表示メモリ２４に書き込まれている撮影した画像の表示用データを表示する。その後はステップＳ１１８へ進む。  
【００３６】
また、上記ステップＳ１１４にてフォーカス確認用クイックレビューモードであったことを判定すると、システム制御回路５０はステップＳ１１５へ処理を進め、ここでは記憶されている拡大倍率の読み込みを行う。本実施例では、記憶倍率のデフォルト値として、サイズＬで撮影した画像がちょうどピクセル等倍で表示される拡大率を用いている。もちろん、拡大率のデフォルトはそれに限ったものではない。また、拡大率の記憶は撮影モードごとに別記憶にすることもできる。また、記憶に関しては設定メニューを用いて、記憶するかどうかを設定することが可能である。また、この記憶された拡大率は再生モードでも共有して利用することが可能である。拡大率を読み出した後はステップＳ１１６へ進み、画像表示部２８に、画像表示メモリ２４に書き込まれている表示用データと同時に、フォーカス確認用画像を表示する。このフォーカス確認用画像は、メモリ３０に一旦記録されている画像データから画像サイズＬ用に全体画像の所定範囲の画像に対応する画像データを一部切り出して生成される。なお、フォーカス確認用のクイックレビュー画面に関しては、図６を用いて後述する。
【００３７】
次のステップＳ１１８では、システム制御回路５０はクイックレビューの状態を維持する操作であるロック操作が行われたか否かの判定を行う。クイックレビューをロックする操作は、クイックレビュー中に、操作部７４にあるセットボタンを押す、もしくは画像表示ＯＮ／ＯＦＦスイッチを押す事により行う事ができる。この判定の結果、クイックレビューロック操作が行われた場合はステップＳ１２３へ進み、クイックレビューをロックする。これにより、クイックレビュー時間として設定された所定時間を経過した後でも、クイックレビューを続ける事が可能である。なお、クイックレビュー時間は、操作部７４にあるクイックレビュースイッチにて切り換え、もしくはカメラ設定メニューにて切り換えを行う事が可能である。
【００３８】
次のステップＳ１２４では、システム制御回路５０は撮影した画像を消去する操作がなされたか否かの判定を行う。撮影した画像を消去する操作は、操作部７４にある画像消去スイッチにて行う事ができる。この判定の結果、画像消去操作が行われた場合はステップＳ１２０へ進み、現在画像表示部２８にクイックレビューしている画像に対応する画像データをメモリ３０から記録媒体２００に書き込まずに消去処理を行う。画像消去処理を行った後は、ステップＳ１１０に戻る。
【００３９】
また、上記ステップＳ１２４にて画像消去操作が行われなかった場合は、システム制御回路５０はステップ１２５へ処理を進め、拡大操作が行われたか否かの判定を行う。拡大操作とは、拡大率の変更操作または拡大位置変更操作をさす。この判定の結果、拡大操作が行われた場合はステップＳ１２６へ進み、ここでは現在のクイックレビューがピント確認モードかどうか否かを判定する。この判定の結果、ピント確認モードではない場合はステップＳ１２７へ進み、通常拡大用の拡大率を決定し、続くステップＳ１２８にて、撮影画像の拡大表示を行う。その後はステップＳ１２４へ戻る。
【００４０】
上記ステップＳ１２６にてピント確認モードと判定した場合は、システム制御回路５０はステップＳ１２９へ処理を進め、ここでは操作に応じた拡大率または拡大位置を計算して決定する。そして、次のステップＳ１３０にて、決定した拡大率を用いてピント確認画面を表示し、続くステップＳ１３１にて、変更された拡大率を記憶して、ステップＳ１２４に戻る。
【００４１】
上記ステップＳ１２７とステップＳ１２９で決定される拡大率は、それぞれ違う値を用いている。通常拡大の場合は２倍〜１０倍の値を設定可能としている。ピント確認モードの場合は、最大撮影画素数の画像がピクセル等倍に近い表示になる倍率から最小撮影画素数の画像がピクセル等倍に近い表示になる倍率までを設定可能範囲とする。そして、余計な補間画像を見せないことでユーザーの利便性を向上させる。また、このとき拡大率の変更する変化量も、上記ステップＳ１２７とステップＳ１２９で変えることも考えられる。また、十字キー等による拡大位置の移動時もその移動量を変えることが考えられる。
【００４２】
上記ステップＳ１２５にて入力が拡大操作ではなかった場合は、システム制御回路５０はステップ１３２へ処理を進め、ここではクイックレビューのロック解除操作が行われたか否かの判定を行う。クイックレビューのロック解除操作は、スイッチＳＷ１を操作することにより行う事ができる。この判定の結果、クイックレビューのロック解除操作が行われなかった場合はステップＳ１２４に戻るが、クイックレビューのロック解除操作が行われた場合はステップＳ１２２へ進み、クイックレビュー画像表示を画像表示部２８から消し、ステップＳ１１０に戻る。
【００４３】
上記ステップＳ１１８にてクイックレビューのロックが行われなかったと判定した場合は、システム制御回路５０はステップＳ１１９へ処理を進め、ここでは撮影した画像を消去する操作がされたか否かの判定を行う。撮影した画像を記録部２０２へ転送させずに消去する操作は、操作部７４にある画像消去スイッチにて行う事ができる。この判定の結果、画像消去操作が行われた場合はステップＳ１２０へ進み、現在画像表示部２８にクイックレビューしている画像を記録部２０２へ転送せずにメモリ３０からの消去処理を行う。そして、画像消去処理を行った後はステップＳ１１０に戻る。
【００４４】
上記ステップＳ１１９にて画像消去操作が行われなかった場合は、システム制御回路５０はステップ１２１へ処理を進め、ここでは設定しているクイックレビュー時間が経過しているか否かの判定を行う。この判定の結果、クイックレビュー時間を経過していない場合は、クイックレビューロック操作の判定を行うステップＳ１１８に戻る。一方、クイックレビュー時間を経過している場合はステップＳ１２２へ進み、クイックレビュー画像表示を画像表示部２８から消し、その後はステップＳ１１０に戻る。
【００４５】
次に、図３のステップＳ１１１にて実行されるフォーカス・露出調整について、図４のフローチャートを用いて詳述する。
【００４６】
図４において、システム制御回路５０は、まずステップＳ１００１にて、撮像素子１５から電荷信号を読み出し、Ａ／Ｄ変換器１６を介して画像処理回路２０に撮影画像データを逐次読み込む。この逐次読み込まれた画像データを用いて、後述するように画像処理回路２０がＡＥ（自動露出）制御、ＥＦ（フラッシュプリ発光）制御、及びＡＦ（オートフォーカス）制御に用いる所定の演算を行うことになる。
【００４７】
次のステップＳ１００２では、システム制御回路５０は画像処理回路２０での演算結果を用いて露出が適正か否かを判定する。この判定の結果、露出が適正でない場合はステップＳ１００３へ進み、ここでは露出制御部４０を用いてＡＥ制御を行う。そして、次のステップＳ１００４にて、ＡＥ制御で得られた測定データを用いてフラッシュが必要か否かを判定する。この判定の結果、フラッシュが必要でなければステップＳ１００１に戻るが、フラッシュが必要であればステップＳ１００５へ進み、フラッシュフラグをセットするとともにフラッシュ部４０４を充電する。その後はステップＳ１００１に戻る。
【００４８】
上記ステップＳ１００２にて露出が適正であると判定した場合は、システム制御回路５０は測定データ及び或いは設定パラメータを内部メモリ或いはメモリ５２に記憶する。そして、ステップＳ１００６へ処理を進め、ここではホワイトバランス（ＡＷＢ）が適正か否かを判定する。この判定は、画像処理回路２０での演算結果及びＡＥ制御で得られた測定データを用いる。ここで、ホワイトバランスが適正でないと判定した場合はステップＳ１００７へ進み、画像処理回路２０を用いて色処理のパラメータを調節してＡＷＢ制御を行う。その後はステップＳ１００１に戻る。
【００４９】
上記ステップＳ１００６にてホワイトバランスが適正であると判定した場合は、システム制御回路５０は測定データ及び或いは設定パラメータをシステム制御回路５０の内部メモリ或いはメモリ５２に記憶する。そして、ステップＳ１００８へ処理を進め、ここで画像処理回路２０により得られたＡＦ評価値（焦点信号）に基づいて合焦か否かを判定し、合焦でなければステップＳ１００９へ進み、ＡＥ制御及びＡＷＢ制御で得られた測定データを用いてフォーカス制御部４２によりフォーカス制御を行う。その後はステップＳ１００１に戻る。
【００５０】
上記ステップＳ１００８にて画像処理回路２０により得られたＡＦ評価値に基づいて合焦と判定したならば、システム制御回路５０は測定データ及び或いは設定パラメータを内部メモリ或いはメモリ５２に記憶する。その後は、フォーカス・露出調整処理ルーチンである図３のステップＳ１１１を終了する。
【００５１】
次に、図３のステップＳ１１２にて実行される撮影処理について、図５のフローチャートを用いて詳述する。
【００５２】
図５において、システム制御回路５０は、まずステップＳ２００１にて、撮像素子１５の電荷クリア動作を行う。ここでは撮像素子１５としてＣＣＤを例にしている。そして、次のステップＳ２００２にて、撮像素子１５の電荷蓄積を開始する。続くステップＳ２００３では、露出制御部４０によってシャッタ１４を開き、次のステップＳ２００４にて、撮像素子１５の露光を開始する。
【００５３】
次のステップＳ２００５では、システム制御回路５０はフラッシュフラグによりフラッシュ部４０４を用いたフラッシュが必要か否かを判定する。この判定の結果、フラッシュが必要な場合はステップＳ２００６へ進み、フラッシュ部４０４をフラッシュ（発光）させ、ステップ２００７へ進む。一方、フラッシュが不要な場合は直ちにステップＳ２００７へ進む。
【００５４】
ステップＳ２００７では、システム制御回路５０は測光データに従って撮像素子１５の露光終了を待ち、その後はステップＳ２００８へ進み、露出制御部４０によってシャッタ１４を閉じ、撮像素子１５の露光を終了する。そして、次のステップＳ２００９にて、設定した電荷蓄積時間が経過するまで待機する。その後はステップＳ２０１０へ進み、撮像素子１５の電荷蓄積を終了する。そして、次のステップＳ２０１１にて、撮像素子１５から電荷信号を読み出し、Ａ／Ｄ変換器１６、画像処理回路２０、メモリ制御回路２２を介して、或いはＡ／Ｄ変換器１６から直接メモリ制御回路２２を介して、一旦、メモリ３０の所定領域への撮影画像データを書き込む。一連の処理を終えたならば、撮影処理ルーチンである図３のステップＳ１１２を終了する。
【００５５】
次に、図６及至図８を用いて、クイックレビュー時に画像表示部２８に表示される画像について説明する。
【００５６】
図６（ａ）は、フォーカス確認用のクイックレビューモードではない場合の画像表示部２８での画面表示５０１を示す図である。図６（ｂ）はフォーカス確認用のクイックビューモードでない場合に、図３のステップＳ１２８にて拡大される画面表示５０１−１を示す図である。図６（ｂ）において、５０１−２は拡大位置を示すインジケータである。また、図７は、記録画素数がＬサイズの場合のフォーカス確認用クイックレビューモードでの画像表示部２８での画面表示５０２を示す図であり、図６の画面表示５０１に対応するものである。画面表示５０１と５０２とは、確認モード切換ボタンによって切り換えることが可能である。
【００５７】
図７において、５０３は、図３のステップＳ１１１におけるフォーカス・露出調整処理の際に得られたＡＦ評価値を基に、フォーカスが合っているとシステム制御回路５０が判定した箇所を示すＡＦフレームである。この例では、３箇所（ＡＦフレーム）においてフォーカスがあっている場合を示し、当該ＡＦフレーム５０３は、画像表示部２８において緑色で被写体画像に重畳して表示されている。
【００５８】
図７において、５０４は、フォーカスの状態を確認する為にメモリ３０に記憶されている画像データから切り出す領域に対応する画像表示部２８上の領域である。ＡＦフレーム５０３にて示されているフォーカス・露出調整処理によってフォーカスの合っている箇所の中で、一番フォーカスが合っているとシステム制御回路５０が判定した箇所が最初に選択される。この領域５０４は、前述のＡＦフレーム５０３と区別できるようにその領域枠を破線で被写体像に重畳して表示される。なお、この表示は、領域５０４とＡＦフレーム５０３とが区別できるよう互いに異なる表示形態で表示されれば良く、例えば、実線と破線、緑色と白色といった具合である。これにより、複数箇所（ＡＦフレーム）でフォーカスが合っている場合であっても、ユーザーにとって撮影画角上のどの位置に領域５０４があるかを認識できることができる。また、複数個所でフォーカスが合っている場合は、フォーカス位置ジャンプボタンで拡大中心位置を他のフォーカスが合っていると判定された枠の中心へ移動することができる。さらにこの状態で十字キーを用いて拡大枠の移動を行うことも可能である。
【００５９】
図７において、５０５は、撮影した画像の圧縮率と、画像サイズ（記録画素数）、並びにファイルサイズを示す指標である。圧縮率を図形で示し、その後のアルファベットは記録画素数としての画像サイズを表している。ファイルサイズを表示する事により、同じシーンを撮影した場合、ファイルサイズの大小を見る事で、撮影画角全体の合焦度合いを判断する指標をユーザーに提供する事が可能である。すなわち、同じ圧縮率の場合であれば、ファイルサイズは画像の高周波成分に依存することを利用したものである。例えば、撮影画角全体の合焦度が高い場合にはファイルサイズがより大きくなり、合焦動画が低い場合にはファイルサイズが小さくなる。
【００６０】
図７において、５０６Ｂは、領域５０４に対応するデータを、メモリ３０に記憶されている画像データから切り出し、画像表示部２８上に拡大して表示した画像である。この画像５０６Ｂの表示により、ユーザーは領域５０４に対応する撮像データが合焦状態にあるものなのかを判断し易くなる。なお、画像５０６Ａは、メモリ３０に記憶されている撮影画像を表示するもので、メモリ３０にあるデータを圧縮縮小した画像である。本実施例のように画像５０６Ａと画像５０６Ｂとを同時に画像表示部２８に表示した場合には、撮影画角における合焦状態の確認位置（領域５０４）をユーザーに視認し易くしつつ、その合焦状態をユーザーが判断することをアシストするものである。
【００６１】
図８は、記録画素数がＳサイズの場合のフォーカス確認用クイックレビューモードにて、記憶されていた拡大率が図７に比べて大きかった場合に画像表示部２８に表示される画面表示を示す図である。
【００６２】
図８の領域５０８は、図７の領域５０４に対応する領域で、フォーカスの状態を確認する為に、メモリ３０に記憶されている画像データから切り出す領域に対応する画像表示部２８上の領域である。ここで、領域５０８は領域５０４よりも同じ撮影画角に対して大きい領域である。すなわち、メモリ３０に記憶されている画像データから切り出して別途画像５０９Ｂとして表示する領域（領域５０８）が、図７で説明した領域５０４よりも大きくなっている。なお、画像５０９Ａは、図７の画像５０６Ａに対応する。
【００６３】
上記のように、図６（ｂ）で示した通常拡大と図７のフォーカス確認状態での拡大ではそれぞれ異なった拡大率範囲をとっている。それぞれに適した拡大範囲を設定しておくことで、ユーザーは意識せずともそれぞれの画面に適した拡大率で操作を行え、実用性が向上する。なお、上記のように通常拡大とフォーカス確認状態での拡大でそれぞれ異なった拡大率範囲をとっているが、拡大率の変化量を変更するようにしても良い。
【図面の簡単な説明】
【００６４】
【図１】本発明の実施例に係る撮像装置のシステム構成を示す図である。
【図２】図１の撮像装置の一連の処理を示すフローチャートである。
【図３】図２の動作の続きを示すフローチャートである。
【図４】図３のフォーカス・露出調整処理の詳細を示すフローチャートである。
【図５】図３の撮影処理の詳細を示すフローチャートである。
【図６】本実施例におけるフォーカス確認用クイックレビューモードでの画像表示部の画面表示を説明するための図である。
【図７】本実施例において記録画素数がＬサイズの場合のフォーカス確認用クイックレビューモードでの画像表示部における画面表示を説明するための図である。
【図８】本実施例において記録画素数がＳサイズの場合のフォーカス確認用クイックレビューモードでの画像表示部における画面表示を説明するための図である。
【符号の説明】
【００６５】
１０  撮影レンズ
１４  シャッタユニット
１５  撮像素子
１８  タイミング発生回路
２０  画像処理回路
２４  画像表示メモリ
２８  画像表示部
３０  メモリ
４２  フォーカス制御部
５０  システム制御回路
５２  メモリ
６０  モードダイアルスイッチ
７０  ＭＦスイッチ
７２  メニュースイッチ
８０  電源制御部
【図１】
2008070645.tif 000003
【図２】
2008070645.tif 000004
【図３】
2008070645.tif 000005
【図４】
2008070645.tif 000006
【図５】
2008070645.tif 000007
【図６】
2008070645.tif 000008
【図７】
2008070645.tif 000009
【図８】
2008070645.tif 000010